(57)【要約】      （修正有）【課題】災害時等の使用に耐えうるペット用キャリーバッグを提供すること。【解決手段】本考案に係るキャリーバッグは不燃素材あるいは難燃素材で形成された生地で箱状体を形成し、側面あるいは側面及び上面を開閉自在とした。又キャスターを一対取り付けると共に伸縮自在な引き手３を付けた。本体の上面、あるいは上面及び底面に吊り下げベルトを設けた。更に本体の内壁にリード１１を設けた。又本体の側面あるいは側面及び底面に収納ポケット１２を設けた。更に本体の内底面に、シート固定部材を装脱自在に設けた。【選択図】図１
0003109912.tif 000002
【実用新案登録請求の範囲】
【請求項１】
不燃素材あるいは難燃素材で形成された生地で形成された箱状体であり、側面あるいは側面及び上面を開閉自在としたペット用キャリーバッグ。
【請求項２】
キャスターを一対取り付けると共に該キャスターを覆うための布材を設け、更に伸縮自在な引き手を付けたことを特徴とする請求項１記載のペット用キャリーバッグ。
【請求項３】
吊り下げベルトを上面あるいは上面及び底面に設けたことを特徴とする請求項１又は２記載のペット用キャリーバッグ。。
【請求項４】
リードを内壁に設けたことを特徴とする請求項１乃至３いずれかに記載のペット用キャリーバッグ。
【請求項５】
側面あるいは側面及び底面に収納ポケットを設けたことを特徴とする請求項１乃至４いずれかに記載のペット用キャリーバッグ。
【請求項６】
シート固定部材を内底面に装脱自在に設けたことを特徴とする請求項１乃至５いずれかに記載のペット用キャリーバッグ。  
【考案の詳細な説明】
【技術分野】
【０００１】
本考案は犬、猫、うさぎ等の小動物を搬送するためのペット用キャリーバッグに関し、より詳しくは防災機能を有するペット用キャリーバッグに関する。
【背景技術】
【０００２】
ペット用キャリーバッグとして樹脂製のハードケース状のものや、布帛製のもの等が多数製造されている。
【０００３】
又、キャスター付きのペット用キャリーケースが、特開平８−２８０２９１号公報において提案されている。ここに特開平８−２８０２９１号公報記載の発明はケース後方にキャスターを設けると共に、前方に牽引バンドを取り付け可能にしたものである。
【特許文献１】特開平８−２８０２９１号公報
【考案の開示】
【考案が解決しようとする課題】
【０００４】
従来例に係るペット用キャリーバッグは、いずれも通常時の使用を念頭に置いて考案されたもので、災害等の緊急時にペットを搬送することを目的に作られたものではない。そこで本考案は緊急時の使用に耐えうるペット用キャリーバッグを提供することを目的とする。
【課題を解決するための手段】
【０００５】
上記課題を解決するために請求項１記載のキャリーバッグは以下のように構成した。
【０００６】
不燃素材あるいは難燃素材で形成された生地で箱状体を形成し、側面あるいは側面及び上面を開閉自在とした。
【０００７】
又、請求項２記載のキャリーバッグは請求項１記載の考案にキャスターを一対取り付けると共に該キャスターを覆う布材を設け、更に伸縮自在な引き手を付けた。
【０００８】
請求項３記載のキャリーバッグは、請求項１又は２記載の考案の上面、あるいは上面及び底面に吊り下げベルトを設けた。
【０００９】
更に、請求項４記載のキャリーバッグは、請求項１乃至３いずれかに記載された考案の内壁にリードを設けた。
【００１０】
又、請求項５記載のキャリーバッグは、請求項１乃至４いずれかに記載された考案の側面あるいは側面及び底面に収納ポケットを設けた。
【００１１】
請求項６記載のキャリーバッグは、請求項１乃至５いずれかに記載された考案の内底面に、シート固定部材を装脱自在に設けた。  
【００１２】
以下、かように構成される本考案が如何にして課題を解決するかを述べる。
【考案の効果】
【００１３】
請求項１記載の考案においては不燃素材あるいは難燃素材の生地でキャリーバッグを形成してある。これにより火災時キャリーバッグが延焼することを防止できるのである。又側面あるいは側面及び上面を開閉自在とすることで、ペットを容易にキャリーバッグ内に収納することが可能となる。すなわち迅速な避難が可能となるのである。
【００１４】
請求項２記載の考案ではキャスターを取り付けてあると共に該キャスターを覆う布材を設け、更に伸縮自在な引き手を設けてある。中型犬等の重量の大きいペットを、肩掛けタイプのキャリーバッグで搬送することは困難であることから、キャスターを取り付け接地した状態で引っ張ることを可能としたのである。又、キャスターを覆う布材は接地した状態ではなく、肩に掛けた状態で搬送する際に、キャスターを覆うことで見た目の体裁を整えるために設けたものである。
【００１５】
請求項３記載のキャリーバッグは肩にたすきがけ状に、あるいは背中におんぶする形状で持ち運ぶことを可能とした。キャリーバッグ上面の吊り下げベルトを肩にたすきがけ状にかけ、あるいは底面の吊り下げベルトに腕を通してキャリーバッグをおんぶすることを可能としたのである。これにより両手が自由な形状でキャリーバッグを搬送することが可能となるのである。つまり緊急時に多くの荷物を持ち運ぶこと可能となるのである。
【００１６】
請求項４記載のキャリーバッグではリードを取り付けてある。リードとペットの首輪等を繋ぐことで、ペットがバッグ内より飛び出すことを防止できる。ペットが逃げ出すことによる緊急時の更なる混乱を防止できるのである。
【００１７】
請求項５記載のキャリーバッグでは、側面あるいは側面及び底面に収納ポケットが設けてある。ペットの身の回り品を予め収納しておけば、迅速な避難が可能となるのである。
【００１８】
キャリーバッグはその内底面にペットの排泄物吸収用のシートを敷くのが通常である。このシートは取り替え式であり、底面にたんに敷いてあるだけのことが多い。しかし緊急時の慌ただしさの中ではペットが暴れることが予想でき、シートがずれたり丸まってしまう可能性が高い。そこで請求項６記載のペット用キャリーバッグでは、着脱自在なシート固定部材を装着するようにした。該シート固定部材でシートを固定することで、ずれたり丸まったりすることを防止できるのである。又シート固定部材自体を着脱自在なものとすることで、該シート固定部材を洗濯することが可能となり衛生面でも優れたものとなるのである。
【考案を実施するための最良の形態】
【００１９】
以下、好ましい考案の一実施形態につき図面を参照しながら述べる。
【００２０】
図１は上面及び側面を開放した状態の斜視図であり、図２は上面及び側面を通気透視部材で被覆した状態の斜視図であり、図３は上面及び側面を閉じた状態の斜視図であり、図４は反対側面側から見た斜視図であり、図５は引き手を伸ばした状態を示す斜視図であり、図６はキャスター側から見た斜視図であり、図７はキャスターを布材で覆った状態の斜視図であり、図８は底面側から見た斜視図であり、図９をシート固定部材の斜視図である。
【００２１】
本考案に係るペット用キャリーバッグの本体１は箱状体であり、不燃素材あるいは難燃素材で形成されている。具体的には表地はアルミックスを使用し、裏地はセラミックファイバーやコーデランといった不燃性あるいは難燃性の繊維で編成する。そして表地と裏地の間に、クッション材として難燃性を付与した発泡ウレタンや難燃製綿を封入するのである。但しこれらの素材に限定を受けるものではなく、不燃素材あるいは難燃素材を使用して防災機能を付与することが可能な素材であれば任意のもので構わない。
【００２２】
又、各辺部には芯材を入れ箱形状を維持することを可能としてある。
【００２３】
更には側面には複数の通気口１ｆが設けてある。
【００２４】
図６に示すように本考案に係るペット用キャリーバッグは、後方に車輪たるキャスター２を一対設けてある。そしてキャスター２を設けた側と反対側の側面には図４に示すように引き手３が設けてある。この引き手３は伸縮自在に設けてある。図５は引き手を伸ばした状態を示すものである。
【００２５】
重量の大きい中型犬などを収納して搬送する際にはこの引き手３を手で持ちキャスター２を接地させた状態すなわち本体１が引き手３側に持ち上がった状態で引き張ることになる。
【００２６】
この際キャスター２がうまく接地できるように、キャスター２は本体１の後方側面１ａより若干突出することになる。この突出した高さと同一高さを有する突起部４を、後方側面１ａに設けてある（図６参照）。後方側面１ａを底面として本体１を立てた場合に、ぐらつきをなくし安定させるために設けるのである。
【００２７】
図６及び図７に示すように、本考案においてはキャスター２を覆うための布材１７が後方側面に１ａに設けてある。布材１７にはボタン１８ａが設けてあり、本体１の底面に設けられたボタン１８ｃ（図８参照）と嵌合させることで布材１７を固定し、キャスター２を覆い隠すものである。又後方側面１ａにはボタン１８ｂが設けてある。ボタン１８ａとボタン１８ｂを嵌合させることで布材１７を持ち上げ固定し、キャスター２の露出状態を維持するのである。
【００２８】
本考案に係るペット用キャリーバッグは、その側面あるいは側面及び上面を開閉自在としてある。ペットをキャリーバッグ内に容易に収納することを可能とするためである。
【００２９】
具体的には図１乃至図４に示すように開口部１ｂ、１ｃを、それぞれネット等の通気性及び内部を見ることが可能な（つまりは収納されたペットが外部を見ることが可能な）部材たる通気透視部材６ｂ、６ｃで開閉自在に覆うことを可能としたものである。すなわちチャック形式のファスナを、開口部１ｂ、１ｃと通気透視部材６ｂ、６ｃの間に介在させることで開閉自在となすのである。
【００３０】
そして、通気透視部材６ｂ、６ｃは更に布材７ｂ、７ｃで覆うことを可能としてある。布材７ｂ、７ｃの開閉方法は面ファスナによるものである。すなわち通気透視部材６ｂに設けた面ファスナ８ｄと布材７ｂに設けた面ファスナ８ｅを接合離脱させることで、布材７ｂを開閉自在となすのである。同じく通気透視部材６ｃに設けた面ファスナ８ｂと布材７ｃに設けた面ファスナ８ａを接合離脱させることで、布材７ｃを開閉自在となすのである。
【００３１】
更に布材７ｃの下方には面ファスナ８ｃが設けてある。これは布材７ｃの開放状態において、布材７ｃが浮遊することを防ぐために設けてある。つまり布材７ｃを畳んだ状態で保持固定することを可能とするためである。すなわち面ファスナ８ａと面ファスナ８ｃを接合することで布材７ｃを保持固定し、開放状態において布材７ｃが浮遊することを防止するのである。同様に布材７ｂの固定辺近傍には面ファスナ８ｆが設けてある。これは布材７ｂの開放状態において、布材７ｂが浮遊することを防ぐために設けてある。つまり布材７ｂを畳んだ状態で保持固定することを可能とするためである。すなわち面ファスナ８ｅと面ファスナ８ｆを接合することで布材７ｂを保持固定し、開放状態において布材７ｂが浮遊することを防止するのである。
【００３２】
通気透視部材６ｂの開閉を担う、チャック形式であるファスナの一対のつかみ片１４には、鎖１４ａが掛け渡されている。これは一方のつかみ片１４を掴んでチャックを開ければ、同時に他方のつかみ片１４も開くようにするためである。同様に通気透視部材６ｃの開閉を担う、チャック形式であるファスナの一対のつかみ片１５には、鎖１５ａが掛け渡されている。これは一方のつかみ片１５を掴んでチャックを開ければ、同時に他方のつかみ片１５も開くようにするためである。
【００３３】
開口部を覆うための上述の通気透視部材や布材はむろん一例を示すものであって、要は開口部を開閉自在に覆うことが可能なものであればよい。又通気透視部材を介在させたのは、本考案に係るペット用キャリーバッグは災害時のみならず通常時にも使用することを前提に作られているからである。つまり夏季等で気温が高い場合の通気を考えてのことである。
【００３４】
本考案に係るペット用キャリーバッグにおいては、本体１の上面あるいは上面及び底面に吊り下げベルトが設けてある。本体１の上面に設けた吊り下げベルト９にはバックル９ａが介在させてあり、伸縮自在なものとしてある。同じく底面に設けた吊り下げベルト１０には、図９に示すようにバックル１０ａが介在させてあり、伸縮自在なものとしてある。
【００３５】
尚、底面を下にして本体１を載置した場合、底面に設けた吊り下げベルト１０の存在により安定が悪くなってしまう。そこで図８に示すように底面の四隅には突起部１９が設けてある。底面を下にして本体１を載置した場合に、吊り下げベルト１０ではなく、突起部１９が接地するぐらいの高さの突起部１９を設けることで安定をよくするのである。
【００３６】
更に本考案に係るペット用キャリーバッグにおいては、図１に示すように本体１の内壁にリード１１が設けてある。リード１１を取り付ける位置は、ペットの首輪とリード１１とを繋げることが可能であれば内壁の任意位置で構わない。
【００３７】
本考案に係るペット用キャリーバッグにおいては、図１乃至図８に示すように側面あるいは側面及び底面に収納ポケットが設けてある。側面に設けた収納ポケット１２、１６底面に設けた収納ポケット１３共に図中チャックで開閉自在なものを示しているが、むろん係る限定を受けるものではなく、例えば側面に設けた収納ポケット１２は上部が開放された袋状形態なものとしても構わない。又、各図においてはいずれも外部側面に収納ポケットを設けてあるが、外部側面のみならず内部側面、すなわち本体１の内壁面に収納ポケットを設けてもよい。
【００３８】
本考案に係るペット用キャリーバッグは、その本体１の内側底面にシート固定部材を装脱自在に設けてある。ここにシート固定部材は、ペットの糞尿を吸収するための市販のペット用シートを固定するためのものである。図９はシート固定部材５を示すものである。シート固定部材５は弾力性を有するゴム体で形成されており、押圧片５ａが各辺部に複数設けてある。この押圧片５ａの縁部を持ち上げペット用シートを装入し、そのうえで押圧片５ａの弾力性によりペット用シートを挟持し固定するものである。
【００３９】
むろんシート固定部材の形態はかようなものに限定を受けるものではなく、本体１の内底面に装脱自在であり、且つ、ペット用シートを固定できるものであれば任意のものでよい。例えば布帛製で表面を起毛させた長方形状の布体といったものが考えられる。起毛部でペット用シートのずれを防ぐのである。
【図面の簡単な説明】
【００４０】
【図１】上面及び側面を開放した状態の斜視図。
【図２】上面及び側面を通気透視部材で被覆した状態の斜視図。
【図３】上面及び側面を閉じた状態の斜視図。
【図４】反対側面側から見た斜視図。
【図５】引き手を伸ばした状態を示す斜視図。。
【図６】キャスター側から見た斜視図。
【図７】キャスターを布材で覆った状態の斜視図。
【図８】底面側から見た斜視図。
【図９】シート固定部材の斜視図。
【符号の説明】
【００４１】
１・・本体        ２・・キャスター
３・・引き手      ４・・突起部
５・・シート固定部材      ９，１０・・吊り下げベルト
１１・・リード      １２，１３，１６・・収納ポケット
１７・・布材
【図１】
0003109912.tif 000003
【図２】
0003109912.tif 000004
【図３】
0003109912.tif 000005
【図４】
0003109912.tif 000006
【図５】
0003109912.tif 000007
【図６】
0003109912.tif 000008
【図７】
0003109912.tif 000009
【図８】
0003109912.tif 000010
【図９】
0003109912.tif 000011